(57)【要約】【課題】カバーを開閉する際のカバーの破損を抑制する術を提供すること。【解決手段】カバー開閉装置２０は、カバー２１と、カバー２１が取付けられる基体部９Ｄと、カバー２１が閉じている閉状態からカバー２１が第１角度だけ回動して開いている第１開状態でカバー２１に当接して、基体部９Ｄに対してカバー２１を第１開状態に保持する保持部２５と、カバー２１または基体部９Ｄに設けられた、軸方向が同一の二本の軸２２と、二本の軸２２に対応して、基体部９Ｄまたはカバー２１に設けられた二つの軸受２３と、カバー２１が第１角度よりも小さい第２角度だけ開いている第２開状態である時に、カバー２１の回動を妨げる反力がカバー２１に働くと、二本の軸２２の少なくとも一方を軸受２３から脱離させる脱離部２４とを備える。【選択図】図４
2015178228.tif 000002
【特許請求の範囲】
【請求項１】
カバーと、
前記カバーが取付けられる基体部と、
前記カバーが閉じている閉状態から前記カバーが第１角度だけ回動して開いている第１開状態で前記カバーに当接して、前記基体部に対して前記カバーを前記第１開状態に保持する保持部と、
前記カバーまたは前記基体部に設けられた、軸方向が同一の二本の軸と、
前記二本の軸に対応して、前記基体部または前記カバーに設けられた二つの軸受と、
前記カバーが前記第１角度よりも小さい第２角度だけ開いている第２開状態である時に、前記カバーの回動を妨げる反力が前記カバーに働くと、前記二本の軸の少なくとも一方を前記軸受から脱離させる脱離部と、を備える、カバー開閉装置。
【請求項２】
請求項１に記載のカバー開閉装置において、
前記脱離部は、前記カバーが前記第２開状態から前記第１開状態となる方向への回動を妨げる反力が前記カバーに働くと、前記二本の軸の少なくとも一方を前記軸受から脱離させるように、形成されている、カバー開閉装置。
【請求項３】
請求項１または請求項２に記載のカバー開閉装置において、
前記脱離部は、前記カバーに設けられた前記二本の軸の少なくとも一方の外周部にテーパ状に形成された面取り部、または、前記カバーに設けられた前記二つの軸受の少なくとも一方の内周部にテーパ状に形成された面取り部によって構成される、カバー開閉装置。
【請求項４】
請求項３に記載のカバー開閉装置において、
前記面取り部が、前記軸の外周部、または、前記軸受の内周部において、前記カバーの前記第１開状態に対応した箇所と、前記カバーの前記第２開状態に対応した箇所の２箇所に形成されている、カバー開閉装置。
【請求項５】
請求項３または請求項４に記載のカバー開閉装置において、
前記軸が前記カバーに設けられ、
前記軸受が前記基体部に設けられ、
前記面取り部が前記軸に形成される、カバー開閉装置。
【請求項６】
請求項５に記載のカバー開閉装置において、
前記反力が働く方向に前記面取り部が形成されている、カバー開閉装置。
【請求項７】
請求項６に記載のカバー開閉装置において、
前記カバーは、当該カバー開閉装置の上部を覆うカバーであり、
前記軸は、当該カバー開閉装置の前方側であって、前記カバーの前端部に設けられており、
前記カバーの後端部は、前記カバーの回転に応じて、当該カバー開閉装置の前方側に移動し、
前記反力が上方に働くときに前記面取り部が上方を向くように、前記面取り部が形成される、カバー開閉装置。
【請求項８】
請求項７に記載のカバー開閉装置において、
前記カバーは、板状カバー部と、前記板状カバー部の両側に形成された側板部を含み、
前記側板部は、スリットを用いて形成された板バネ部を含み、
前記軸は、前記板バネ部上に形成されている、カバー開閉装置。
【請求項９】
請求項８に記載のカバー開閉装置において、
前記板バネ部は、前記スリットによって前記側板部から分離された自由端と、前記側板部に連続する固定端とを含み、
前記軸は、前記板バネ部の前記自由端側の先端部に形成されている、カバー開閉装置。
【請求項１０】
請求項３から請求項９のいずれか一項に記載のカバー開閉装置において、
前記カバーが前記基体部に取付けられた状態において、前記軸の外周面は、前記面取り部を除き、前記軸受の内周面にほぼ当接している、カバー開閉装置。
【請求項１１】
請求項１０に記載のカバー開閉装置において、
前記カバーは、板状カバー部と、前記板状カバー部の両側に形成された側板部を含み、
前記軸は、前記カバーの前記側板部から軸方向外側に突出して形成されている、カバー開閉装置。
【請求項１２】
請求項１から請求項１１のいずれか一項に記載のカバー開閉装置において、
前記カバーは、平面視、長方形に形成され、
前記カバーの長辺側に対応した一端部は、前記カバーが閉じられた状態において前記基体部とによって開口部を形成し、前記カバーの回転に応じて、前記開口部の開口幅を狭くする、カバー開閉装置。
【請求項１３】
請求項１から請求項１２のいずれか一項に記載のカバー開閉装置と、
被記録媒体に画像を形成する画像形成部と、
画像形成された前記被記録媒体を排出する排出部とを備え、
前記第１開状態の前記カバーは、前記排出部によって排出された前記被記録媒体を載置する排出トレイを構成する、画像形成装置。
【発明の詳細な説明】
【技術分野】
【０００１】
本発明は、カバー開閉装置、およびカバー開閉装置を備えた画像形成装置に関し、詳しくは、画像形成装置等に設けられるカバーの損傷を防ぐ技術に関する。
【背景技術】
【０００２】
従来、カバーの損傷を防ぐ技術が、例えば、特許文献１に開示されている。そこでは、可動範囲以上にカバーを開けようとすると、カバーの軸を押さえる軸押さえ片と軸受との間が弾性変形して開き、軸が軸溝から離脱してカバーが外れ、カバーの破損を防ぐ技術が開示されている。
【先行技術文献】
【特許文献】
【０００３】
【特許文献１】特開２００７−２０３４８５号公報
【発明の概要】
【発明が解決しようとする課題】
【０００４】
しかしながら、カバーが取付けられる部材（基体部）とカバーとの間の隙間に、指や服が挟まったままユーザがカバーを開けると、カバーに予期せぬ力が加わり、カバーが破損する虞があった。
【０００５】
本発明は、カバーを開閉する際のカバーの破損を抑制する技術を提供するものである。
【課題を解決するための手段】
【０００６】
本明細書によって開示されるカバー開閉装置は、カバーと、前記カバーが取付けられる基体部と、前記カバーが閉じている閉状態から前記カバーが第１角度だけ回動して開いている第１開状態で前記カバーに当接して、前記基体部に対して前記カバーを前記第１開状態に保持すると、前記カバーまたは前記基体部に設けられた、軸方向が同一の二本の軸と、前記二本の軸に対応して、前記基体部または前記カバーに設けられた二つの軸受と、前記カバーが前記第１角度よりも小さい第２角度だけ開いている第２開状態である時に、前記カバーの回動を妨げる反力が前記カバーに働くと、前記二本の軸の少なくとも一方を前記軸受から脱離させる脱離部と、を備える。
例えば、カバーを開く際に、カバーと基体部との間の隙間に指が挟まると、その反作用が脱離部に働く。すると、本構成によれば、例えば、脱離部が、軸の外周部に形成された面取り部によって構成される場合、面取り部によって軸が軸受から脱離し、カバーが基体部から外れる。そのため、カバーを開閉する際のカバーの破損を抑制することができる。
【０００７】
上記カバー開閉装置において、前記脱離部は、前記カバーが前記第２開状態から前記第１開状態となる方向への回動を妨げる反力が前記カバーに働くと、前記二本の軸の少なくとも一方を前記軸受から脱離させるように、形成されているようにしてもよい。
本構成によれば、カバーが開かれる際のカバーの破損を抑制することができる。
【０００８】
また、上記カバー開閉装置において、前記脱離部は、前記カバーに設けられた前記二本の軸の少なくとも一方の外周部にテーパ状に形成された面取り部、または、前記カバーに設けられた前記二つの軸受の少なくとも一方の内周部にテーパ状に形成された面取り部によって構成されるようにしてもよい。
本構成によれば、脱離部を、面取り部という簡易な構成によって構成できる。
【０００９】
また、上記カバー開閉装置において、前記面取り部が、前記軸の外周部、または、前記軸受の内周部において、前記カバーの前記第１開状態に対応した箇所と、前記カバーの前記第２開状態に対応した箇所の２箇所に形成されているようにしてもよい。
本構成によれば、一方の面取り部を、カバーの可動範囲以上に対応した位置にも形成することによって、カバーの可動範囲以上開けようとしたときも、カバーを容易に外すことができる。
【００１０】
また、上記カバー開閉装置において、前記軸が前記カバーに設けられ、前記軸受が前記基体部に設けられ、前記面取り部が前記軸に形成されているようにしてもよい。
本構成によれば、通常の使用時には、カバーが基体部から外れにくい。
【００１１】
また、上記カバー開閉装置において、前記反力が働く方向に前記面取り部が形成されているようにしてもよい。
本構成によれば、簡易な構成で、カバーを開閉する際のカバーの破損を抑制できる。
【００１２】
また、上記カバー開閉装置において、前記カバーは、当該カバー開閉装置の上部を覆う上面カバーであり、前記軸は、当該カバー開閉装置の前方側であって、前記カバーの前端部に設けられており、前記カバーの後端部は、前記カバーの回転に応じて、当該カバー開閉装置の前方側に移動し、前記反力が上方に働くときに前記面取り部が上方を向くように、前記面取り部が形成されているようにしてもよい。
本構成によれば、外れたカバーがユーザの方へ飛んできにくく、安全性が向上される。
【００１３】
また、上記カバー開閉装置において、前記カバーは、板状カバー部と、前記板状カバー部の両側に形成された側板部を含み、前記側板部は、スリットを用いて形成された板バネ部を含み、前記軸は、前記板バネ部上に形成されているようにしてもよい。
本構成によれば、軸が弾性力のある板バネ部上に形成されているため、異物が挟まった際の反力によって軸の位置が変位しやすい。それによって、軸が軸受から退避しやすくなり、カバーが基体部から外れやすくなる。
【００１４】
また、上記カバー開閉装置において前記板バネ部は、前記スリットによって前記側板部から分離された自由端と、前記側板部に連続する固定端とを含み、前記軸は、前記板バネ部の前記自由端側の先端部）に形成されているようにしてもよい。
本構成によれば、板バネ部の自由端側は、固定端側に比べて変位しやすいため、軸が軸受からより退避しやすくなる。
【００１５】
また、上記カバー開閉装置において、前記カバーが前記基体部に取付けられた状態において、前記軸の外周面は、前記面取り部を除き、前記軸受の内周面にほぼ当接しているようにしてもよい。
本構成によれば、面取り部の構成が好適に活用される。
【００１６】
また、上記カバー開閉装置において、前記軸は、前記カバーの前記側板部から軸方向外側に突出して形成されているようにしてもよい。
本構成によれば、軸は、カバーの側板部から軸方向外側に突出して形成されているため、カバーの側板部から軸方向内側に突出した軸の外周面や、軸受の内周面に面取り部を付けるよりも簡単に面取り部を付けやすい。
【００１７】
また、上記カバー開閉装置において、前記カバーは、平面視、長方形に形成され、前記カバーの長辺側に対応した一端部は、前記カバーが閉じられた状態において前記基体部とによって開口部を形成し、前記カバーの回転に応じて、前記開口部の開口幅を狭くするようにしてもよい。
本構成によれば、開口部に異物が挟まった場合、脱離部に働く反作用力が強くなり、カバーが基体部から外れやすくなる。
【００１８】
また、本明細書によって開示される画像形成装置は、上記いずれか記載のカバー開閉装置と、被記録媒体に画像を形成する画像形成部と、画像形成された前記被記録媒体を排出する排出部とを備え、前記第１開状態の前記カバーは、前記排出部によって排出された前記被記録媒体を載置する排出トレイを構成する。
カバーを排出トレイとして使用する際、カバーを必ず開閉する必要がある。そのため、本構成によれば、画像形成装置において、カバーを開閉する際のカバーの破損を抑制することができる。
【発明の効果】
【００１９】
本発明によれば、カバーを開閉する際のカバーの破損を抑制することができる。
【図面の簡単な説明】
【００２０】
【図１】本発明一実施形態に係るプリンタの外観斜視図
【図２】プリンタの概略的な中央断面図
【図３】プリンタの概略的なの分解斜視図
【図４】カバー開閉装置の部分解斜視図
【図５Ａ】プリンタの排紙カバーの平面図
【図５Ｂ】排紙カバーの斜視図
【図６】排紙カバーの軸の概略的な斜視図
【図７Ａ】排紙カバーの取り付け部に係る断面図
【図７Ｂ】排紙カバーが外れる際の取り付け部を概略的に示す断面図
【図８Ａ】排紙カバーの閉状態を示す側面図
【図８Ｂ】排紙カバーの第２開状態を示す側面図
【図８Ｃ】排紙カバーの第１開状態を示す側面図
【図９】別の排紙カバーの取り付け部に係る断面図
【図１０】別の排紙カバーの軸の概略的な斜視図
【図１１Ａ】別の排紙カバーの閉状態を示す側面図
【図１１Ｂ】別の排紙カバーの第２開状態を示す側面図
【図１１Ｃ】別の排紙カバーの第１開状態を示す側面図
【発明を実施するための形態】
【００２１】
＜実施形態＞
１．プリンタの概要
画像形成装置の一例であるプリンタ１は、電子写真式のモノクロレーザプリンタであり、図１に示すように、筐体３内に後述する画像形成部５を収納する。筐体３の前面側には、給紙カバー３Ａが回動可能に組み付けられている。図１に示す給紙カバー３Ａは、閉じた状態を示している。なお、プリンタはモノクロレーザプリンタに限られず、例えば、カラープリンタであってもよいし、インクジェットプリンタであってもよいし、ＬＥＤプリンタであってもよい。
【００２２】
また、プリンタ１の上部には、カバー開閉装置２０が設けられている。カバー開閉装置２０は、排紙カバー２１を含み、図１は、排紙カバー２１が開かれた状態を示している。排紙カバー２１は、本発明のカバー開閉装置に係る「カバー」の一例である。
図１に示されるように、排紙カバー２１は、カバー開閉装置２０の上部を覆うカバーであり、カバーの後端部２１Ｅは、排紙カバー２１の回転に応じて、カバー開閉装置２０の前方側に移動する。
【００２３】
また、排紙カバー２１は、排紙部３Ｃの上方側を閉塞する閉じた状態と排紙部３Ｃの上方側を開放する開いた状態との間で回転可能である。排紙部３Ｃとは、図２に示すように、画像形成が終了したシートが排出される排出トレイ３Ｄを有する空間であって、筐体３の上方側に設けられた部位である。
【００２４】
画像形成を行う場合には、利用者は、給紙カバー３Ａをおよび排紙カバー２１を前方側に回転させて給紙カバー３Ａおよび排紙カバー２１を開くとともに、その開いた給紙カバー３Ａ上にシートを載置する。これにより、給紙カバー３Ａ上に載置されたシートは、筐体３内の画像形成部５に給送される。そして、画像形成が終了したシートは、排出トレイ３Ｄの上面である載置面３Ｅおよび排紙カバー２１上に載置されていく。すなわち、開かれた状態の排紙カバー２１は、排出トレイとして使用される。
【００２５】
画像形成部５は用紙等のシート（「被記録媒体」の一例）に画像を形成する。この画像形成部５は、電子写真方式の画像形成部であって、感光ドラム５Ａ、帯電器５Ｂ、露光器５Ｃ、転写部５Ｄ及び定着器５Ｅ等を有する。そして、感光ドラム５Ａの回転中心線Ｌ１より上方側に載置面３Ｅが設けられている。
【００２６】
感光ドラム５Ａは現像剤像を担持する。帯電器５Ｂは感光ドラム５Ａの表面を帯電させる。露光器５Ｃは帯電した感光ドラム５Ａを露光して静電潜像を形成する。転写部５Ｄは感光ドラム５Ａに担持された現像剤をシートに転写させる。
【００２７】
定着器５Ｅはシートに転写された現像剤を定着させる。定着器５Ｅから排出されるシートは、画像形成が終了したシートとして、排出ローラ７Ａ（「排出部」の一例）により排出トレイ３Ｄに向けて排出される。一対の押圧ローラ７Ｂはシートを排出ローラ７Ａに押し付ける。これにより、シートの曲がり癖（カール）が矯正されながらシートが排出される。
【００２８】
感光ドラム５Ａおよび露光器５Ｃが内蔵されたプロセスケーシング５Ｆ、並びに定着器５Ｅ等の画像形成部５は装置本体に組み付けられている。装置本体とは、図３に示す一対のフレーム９や筐体３等、通常使用時において利用者により着脱・分解されない部位をいう。
【００２９】
一対のフレーム９は、プロセスケーシング５Ｆ等の画像形成部５を挟んで両側に配置された略板状の構造部材である。本実施形態に係る一対のフレーム９は樹脂製である。そして、プロセスケーシング５Ｆ等の画像形成部５は一対のフレーム９に支持されている。
【００３０】
露光器５Ｃは、図２に示すプレート９Ｂに保持された状態でフレーム９に支持されている。プレート９Ｂは、排出トレイ３Ｄの下方に配設された金属製の部材であって、一対のフレーム９間を架け渡すように延びて両端側が各プレート９Ｂに固定されている。
【００３１】
筐体３は、図３に示すように、一対のフレーム９等を外側から覆って、外装カバー３Ｇ〜３Ｊ等により構成されている。外装カバー３Ｇ、３Ｈは一対のフレーム９を幅方向から覆うサイドカバーである。
【００３２】
外装カバー３Ｊは一対のフレーム９を上方側からトップカバーである。なお、幅方向とは一対のフレーム９が対向する方向をいう。そして、本実施形態に係る幅方向は画像形成装置１の左右方向と一致する。
【００３３】
図２に示すフィーダ機構１２は、給紙カバー３Ａ上に載置されたシートを画像形成部５に搬送する。フィーダ機構１２は、ピックアップローラ１２Ａおよび分離部１２Ｂ等を有している。
【００３４】
ピックアップローラ１２Ａおよび分離部１２Ｂ、並びに画像形成部５を構成する機器のうち感光ドラム５Ａ等の回転体等は、電動モータ等の駆動源（図示せず）から駆動力の供給を受けて回転する。
【００３５】
ピックアップローラ１２Ａは、積層状態で載置された複数枚のシートのうち積層方向一端側に位置するシートに接触して回転する。分離部１２Ｂは、ピックアップローラ１２Ａから複数枚のシートが送出されたときに、それらシートを１枚ずつに分離して画像形成部５側に送出する。
【００３６】
また、図１に示すように、排出トレイ３Ｄの幅方向両端側それぞれには堤部１１が設けられている。一対の堤部１１は壁面１１Ａを有している。各壁面１１Ａは、載置面３Ｅより上方側に立設して排紙部３Ｃに面した壁面である。これらの壁面１１Ａ、つまり一対の堤部１１は、載置面３Ｅに載置されたシートが、排出トレイ３Ｄから幅方向にはみ出すことを規制する。
【００３７】
各壁面１１Ａを含む各堤部１１の外壁面は、外装カバー（トップカバー）３Ｊにより構成されている。各フレーム９の上端側は外装カバー３Ｊに覆われて堤部１１内に位置している。
【００３８】
制御基板１５は、画像形成部５および駆動源８等の作動を制御する制御部（図示せず。）が設けられた基板である。制御基板１５は、一対のフレーム９のうち幅方向一端側（本実施形態では右端側）のフレームであって画像形成部５と反対側、つまり外装カバー３Ｇに対向した板面９Ａ側に組み付けられている。
【００３９】
２．カバー開閉装置の構成
次に、図４から図８を参照して、カバー開閉装置２０の作用を説明する。図７Ａ、７Ｂは、図８Ｂに示すＡ−Ａ方向に見た部分断面図である。
【００４０】
カバー開閉装置１０は、図４に示されるように、排紙カバー２１、フレーム９、カバー支持フレーム９Ｄ、カバー保持部２５を含む。
【００４１】
排紙カバー２１は、図５および図６に示されるように、平面視、長方形に形成され、板状カバー部２１Ａ、板状カバー部の両側に形成された側板部２１Ｂを含む。
【００４２】
各側板部２１Ｂは、図５Ｂに示されるように、スリット２１Ｃを用いて形成された板バネ部２６を含む。板バネ部２６は、スリット２１Ｃによって側板部２１Ｂから分離された自由端２６Ａと、側板部に連続する固定端２６Ｂとから構成される。
【００４３】
また、排紙カバー２１の長辺側に対応した前端部（「一端部」の一例）２１Ｄには、後述するカバー保持部２５と当接する当接部２７が形成されている。前端部２１Ｄは、カバーが閉じられた状態においてフレーム９とによって開口部２８を形成する（図８Ａ参照）。開口部２８の開口幅は、排紙カバー２１の回転に応じて狭くなる（図８Ａおよび図８Ｂ参照）。
【００４４】
各板バネ部２６上に、軸２２が設けられている。すなわち、軸２２は、カバー開閉装置２０の前方側であって、排紙カバー２１の前端部２１Ｄに設けられている。詳しくは、各軸２２は、排紙カバー２１の各側板部２１Ｂから外に突出して、言い換えれば、排紙カバー２１の各側板部２１Ｂから軸方向外側に突出して、各軸２２は、板バネ部２６の自由端２６Ａ側の先端部に形成されている（図５Ａおよび図５Ｂ参照）。なお、ここで、軸方向とは、図５Ａの矢印で示される、左右方向である。また、排紙カバー２１の各側板部２１Ｂから軸方向外側とは、図５Ａにおいて右側に位置する側板部２１Ｂに関しては、側板部２１Ｂから図５Ａの右矢印で示される側であり、図５Ａの左側に位置する側板部２１Ｂに関しては、側板部２１Ｂから図５Ａの左矢印で示される側である。
また、各軸２２は、図６に示されるように、中空の円柱状の形状を有し、その外周部には、テーパ状に形成された面取り部２４が形成されている。面取り部２４は、排紙カバー２１が第１角度θ１（例えば、１５０°）よりも小さい第２角度θ２（例えば、３０°）だけ開いている第２開状態（図８Ｂ参照）である時に、排紙カバー２１の回動を妨げる反力が排紙カバー２１に働くと、二本の軸２２の少なくとも一方を軸受２３から脱離させる作用を有する（図７Ａ、７Ｂ参照）。面取り部２４は、「脱離部」の一例である。なお、図６は、図８Ｂに示した排紙カバー２１の状態、すなわち、第２開状態の場合の軸２２を示す。
上記したように、本実施形態では、各軸２２は、排紙カバー２１の各側板部２１Ｂから軸方向外側に突出して形成されている。そのため、排紙カバー２１の側板部２１Ｂから軸方向内側に突出した軸の外周面や、軸受２３の内周面に、面取り部２４を形成するよりも、面取り部２４の形成が容易となる。
【００４５】
なお、本実施形態では、各側板部２１Ｂにスリット２１Ｃを用いて板バネ部２６を形成し、板バネ部２６上に軸２２を形成する例を示したが、これに限られない。例えば、各側板部２１Ｂ上に軸２２を形成するようにしてもよい。その際、各側板部２１Ｂは弾性を有する樹脂で形成されることが好ましい。また、面取り部２４は、いずれか一方の軸２２に形成するようにしてもよい。さらに、面取り部２４の形状は、テーパ状に限られない。
【００４６】
カバー支持フレーム９Ｄは、図４に示されるように、フレーム９の一部として、上方に延びる板状に形成されている。カバー支持フレーム９Ｄには、図４および図７Ａに示されるように軸受２３が形成されている。各軸受２３に排紙カバー２１の各軸２２が係合することによって、排紙カバー２１がカバー支持フレーム９Ｄに取付けられる。フレーム９およびカバー支持フレーム９Ｄは、「基体部」の一例である。
【００４７】
カバー保持部（「保持部」の一例）２５は、排紙カバー２１が閉じている閉状態（図８Ａ参照）から排紙カバー２１が第１角度θ１だけ回動して開いている第１開状態（図８Ｃ参照）で排紙カバー２１の当接部２７に当接して、基体部に対して前記カバー記第１開状態に保持する。
【００４８】
３．カバー開閉装置の作用
次に、図８Ａから図８Ｃを参照して、カバー開閉装置２０の作用を説明する。
【００４９】
排紙カバー２１が閉じられた状態では、図８Ａに示されるように、面取り部２４は、鉛直方向、図８Ａの上方向から第２角度θ２だけ右回転した方向を向いている。
【００５０】
図８Ｂに示されるように、排紙カバー２１が、第２角度θ２（例えば、３０°）だけ開いている第２開状態（図８Ｂ参照）では、面取り部２４は、鉛直方向、図８Ｂの上方向を向いている（図６および図７Ａ参照）。この状態において、開口部２８に指等が挟まれると、排紙カバー２１が第２開状態から第１開状態となる方向への回動を妨げる反力が排紙カバー２１に働く。この場合、反力は、図８Ｂの上方向に働き、上方向を向いている面取り部２４によって二本の軸２２の少なくとも一方を軸受２３から脱離させるように働く。
詳細には、開口部２８に指等が挟まれる場合、排紙カバー２１を更に回転させようとする回転力の下向き成分によって、指等から上方向への反作用力（反力）が生じる。その反作用力を排紙カバー２１の先端部である当接部２７が受けることによって、軸２２に上方向の反力が働く。上方向の反力によって、面取り部２４は、軸受２３から下方向（図７Ｂの矢印下方向）の反力を受ける。その際、面取り部２４はテーパ状になっているため、下方向の反力が、下方向の成分のみならず、カバー軸方向内側に向かう成分（図７Ｂの矢印左側に向かう成分）としても働き、カバー軸方向内側に向かう力を受けた板バネ部２６が弾性変形し、それによって、二本の軸２２の少なくとも一方が、軸受２３から脱離することができる（図７Ｂ参照）。
【００５１】
なお、図７Ｂには一方の軸２２しか示されないが、他方の軸２２に関しても反力によって軸受２３から脱離する理由は、同様である。また、軸受２３から脱離する軸２２が一本か二本かは、開口部２８に指等が挟まれる位置、あるいは反力の大きさに依存する。
【００５２】
なお、図８Ａ−図８Ｃに示されるように、排紙カバー２１がカバー支持フレーム９Ｄに取付けられた状態において、軸２２の外周部２２Ａは、面取り部２４を除き、軸受２３の内周部２３Ａにほぼ当接している。この構成によって、排紙カバー２１が、第２角度θ２だけ開いている第２開状態において、排紙カバー２１を外すことができ、それ以外は、排紙カバー２１が外れることなく、排紙カバー２１を開閉することができる。すなわち、面取り部２４の構成が好適に活用される。
【００５３】
４．実施形態の効果
例えば、排紙カバー２１を開く際に、開口部２８に指が挟まると、その反作用が軸２２および面取り部２４に働く。すると、排紙カバー２１の軸２２に形成された面取り部２４によって軸２２が軸受２３から脱離し、排紙カバー２１がカバー支持フレーム９Ｄから外れる。そのため、排紙カバー２１を開閉する際の排紙カバー２１の破損を抑制することができる。
【００５４】
＜他の実施形態＞
本発明は上記記述及び図面によって説明した実施形態に限定されるものではなく、例えば次のような実施形態も本発明の技術的範囲に含まれる。
【００５５】
（１）上記実施形態では、二本の軸２２を排紙カバー２１に設け、軸受２３をカバー支持フレーム９Ｄに設け、面取り部２４を、軸２２の外周部２２Ａに設ける例を示したが、これに限られない。例えば、図９に示すように、二本の軸２２をカバー支持フレーム９Ｄに設け、軸受２３を排紙カバー２１に設け、面取り部２４を、軸受２３の内周部２３Ａに設けるようにしてもよい。この場合であっても、開口部２８に指等が挟まった際の反力によって、面取り部２４によって、排紙カバー２１を容易に外すことができる。
【００５６】
（２）上記実施形態では、面取り部２４が、軸２２の外周部、または、軸受の内周部において、排紙カバー２１の第１開状態に対応した箇所に設ける例を示したがこれに限られない。図１０に示すように、面取り部２４が、軸２２の外周部、または、軸受の内周部において、排紙カバー２１の第１開状態に対応した箇所と、排紙カバー２１の第２開状態に対応した箇所の２箇所に形成されるようにしてもよい。この場合、一方の面取り部を、排紙カバー２１の可動範囲以上に対応した位置にも形成することによって、排紙カバー２１の可動範囲（例えば、１５０°の回転範囲）以上開けようとしたときも、排紙カバー２１を容易に外すことができる。
ここで、例えば、面取り部２４が軸２２の外周部に形成される場合、排紙カバー２１の第２開状態に対応した箇所とは、第１角度θ１が、上記したように、例えば、１５０°とされ、第２角度θ２が３０°とされる場合、図１０に示すように、第１開状態に対応した箇所から右に角度θ３の１２０°異なる、軸２２の外周部の箇所となる。
【００５７】
（３）上記実施形態では、排紙カバー２１の第２開状態において、反力が鉛直方向に働いた場合に、排紙カバー２１をカバー支持フレーム９Ｄから外すように面取り部２４が形成される例を示したがこれに限らない。要は、反力が働く方向に対応して面取り部２４が形成されていればよい。
【００５８】
（４）上記実施形態では、脱離部を面取り部２４によって構成する例を示したが、これに限られない。例えば、図１１Ａから図１１Ｃに示されるように、脱離部を、カバー支持フレーム９Ｄの上部に形成された、開口部９Ｅと、開口部９Ｅを介してカバー支持フレーム９Ｄから外れる形状に形成された軸２２によって構成されるようにしてもよい。すなわち、図１１Ｂに示されるように、排紙カバー２１が、第２角度θ２（例えば、３０°）だけ開いている第２開状態において、鉛直方向、図１１Ｂの上方向に反力が働いた際に、軸２２が開口部９Ｅから外れる形状に形成するようにすればよい。例えば、図１１Ａから図１１Ｃに示されるように、軸２２は、例えば、開口部９Ｅの開口幅より小さい幅を有し、断面において軸受の直径にほぼ等しい、円の直径部分を含む、柱状の形状を有するようにすればよい。この場合であっても、第２開状態において、反力が鉛直方向に働いた場合に、排紙カバー２１をカバー支持フレーム９Ｄから外すことができる。
【符号の説明】
【００５９】
１…プリンタ、５…画像形成部、９…フレーム、９Ｄ…カバー支持フレーム、２０…カバー開閉装置、２１…排紙カバー、２２…軸、２３…軸受、２４…面取り部、２５…カバー保持部、２６…板バネ部、２７…当接部、２８…開口部
【図１】
2015178228.tif 000003
【図２】
2015178228.tif 000004
【図３】
2015178228.tif 000005
【図４】
2015178228.tif 000006
【図５Ａ】
2015178228.tif 000007
【図５Ｂ】
2015178228.tif 000008
【図６】
2015178228.tif 000009
【図７Ａ】
2015178228.tif 000010
【図７Ｂ】
2015178228.tif 000011
【図８Ａ】
2015178228.tif 000012
【図８Ｂ】
2015178228.tif 000013
【図８Ｃ】
2015178228.tif 000014
【図９】
2015178228.tif 000015
【図１０】
2015178228.tif 000016
【図１１Ａ】
2015178228.tif 000017
【図１１Ｂ】
2015178228.tif 000018
【図１１Ｃ】
2015178228.tif 000019